(57)【要約】      （修正有）【課題】フラッシュ構造を備える扉体であっても適用することができる把手部材及びそれを備えた扉を提供する。【解決手段】把手部材２０は、バックプレート３０と、ベースプレート５０と、ねじ部材９０と、を備える。ねじ部材９０は、座金部５６を挿通可能とされるとともに、背板部３１に配設された螺合部３１ｂと螺合可能とされ、第一挟持部３８と第二挟持部５７とで壁体１１が挟持されるとともに、ねじ部材９０を座金部５６側から進入させて螺合部３１ｂと螺合させることで、壁体１１に取り付けられる。【選択図】図１５
0003228383.tif 000002
【実用新案登録請求の範囲】
【請求項１】
フラッシュ構造を備える扉の壁体に形成された開口部に配設される把手部材であって、
前記壁体の裏面側に配されるバックプレートと、
一部が前記壁体の表面側に配されるともに前記バックプレートと連結されるベースプレートと、
前記バックプレートと前記ベースプレートとを連結するねじ部材と、を備え、
前記壁体に取り付けられた状態において、
前記バックプレートは、背板部と、前記背板部の一方の面の外周縁部から延設される第一連結部と、前記第一連結部の前記背板部とは反対側の端部側に配設されて前記壁体を挟持可能な第一挟持部と、を備え、
前記ベースプレートは、前記背板部の前記第一挟持部側に配される座金部と、前記壁体の表面側で前記壁体を挟持可能な第二挟持部と、前記座金部と前記第二挟持部とを連結する第二連結部と、を備え、
前記ねじ部材は、前記座金部を挿通可能とされるとともに、前記背板部に配設された螺合部と螺合可能とされ、
前記第一挟持部と前記第二挟持部とで前記壁体が挟持されるとともに、前記ねじ部材を前記座金部側から進入させて前記螺合部と螺合させることで、前記壁体に取り付けられることを特徴とする把手部材。
【請求項２】
前記ベースプレートの前記第二連結部の上側には、ヒンジブラケットが配設され、
前記ヒンジブラケットに、カバーが回動可能に取り付けられ、
前記バックプレートの上部に位置する前記第一挟持部と、前記バックプレートの上部に位置する前記第一連結部と、にまたがるように逃がし孔が配設され、前記逃がし孔は、前記ヒンジブラケットを配置可能とされ、
前記ヒンジブラケットの上端部が、前記壁体の前記開口部の開口縁部と、前記逃がし孔とに当接可能とされていることを特徴とする請求項１に記載の把手部材。
【請求項３】
前記第二連結部の下端部は、前記壁体の前記開口部の前記開口縁部と、前記バックプレートの下部に位置する前記第一連結部と当接可能とされ、
前記ベースプレートの上端部から前記ヒンジブラケットの上端部までの距離が、前記ベースプレートの下端部から前記第二連結部の下端部までの距離より、短く設定されていることを特徴とする請求項２に記載の把手部材。
【請求項４】
前記カバーが、前記ベースプレートの前記ヒンジブラケットの前側に固定される固定部と、覆い位置と開放位置に移動可能な可動部と、を有し、
前記可動部が、前記可動部の回動軸線より、下側かつ前側で、ヒンジを介して取り付けられていることを特徴とする請求項２又は３に記載の把手部材。
【請求項５】
フラッシュ構造を備える扉であって、前記扉の壁体に開口部が形成され、
請求項１、２、３又は４に記載の把手部材が、前記開口部に配設されることを特徴とする扉。
【考案の詳細な説明】
【技術分野】
【０００１】
本考案は、扉に配設される把手部材及びそれを備えた扉に関するものである。
【背景技術】
【０００２】
従来の把手部材として、特許文献１に記載されるものがあり、これによれば、金属等で製した任意形状の平板の中央部を、椀状に湾曲させて形成されていた。扉体には、半球状に窪ませた凹部を形成し、凹部に平板の中央部を配置して、表面に配置した把手を、裏面側からビスで固着させていた。
【先行技術文献】
【特許文献】
【０００３】
【特許文献１】実開昭５５−８５４６１号公報
【考案の概要】
【考案が解決しようとする課題】
【０００４】
しかし、上記の把手部材では、取り付けられる扉体が中実な構造であったので、片面、両面を問わずフラッシュ構造を備える扉体にはそのまま適用することができないという問題があった。
【０００５】
本考案は、上記事情に鑑み、フラッシュ構造を備える扉体であっても適用することができる把手部材及びそれを備えた扉を提供することを目的とする。
【課題を解決するための手段】
【０００６】
請求項１記載の考案では、フラッシュ構造を備える扉の壁体に形成された開口部に配設される把手部材であって、
前記壁体の裏面側に配されるバックプレートと、
一部が前記壁体の表面側に配されるともに前記バックプレートと連結されるベースプレートと、
前記バックプレートと前記ベースプレートとを連結するねじ部材と、を備え、
前記壁体に取り付けられた状態において、
前記バックプレートは、背板部と、前記背板部の一方の面の外周縁部から延設される第一連結部と、前記第一連結部の前記背板部とは反対側の端部側に配設されて前記壁体を挟持可能な第一挟持部と、を備え、
前記ベースプレートは、前記背板部の前記第一挟持部側に配される座金部と、前記壁体の表面側で前記壁体を挟持可能な第二挟持部と、前記座金部と前記第二挟持部とを連結する第二連結部と、を備え、
前記ねじ部材は、前記座金部を挿通可能とされるとともに、前記背板部に配設された螺合部と螺合可能とされ、
前記第一挟持部と前記第二挟持部とで前記壁体が挟持されるとともに、前記ねじ部材を前記座金部側から進入させて前記螺合部と螺合させることで、前記壁体に取り付けられる。
【０００７】
これによれば、第一挟持部と第二挟持部とで壁体を挟持するとともに、ねじ部材を座金部側から進入させて螺合部と螺合させる構成としているので、フラッシュ構造を備える扉体であっても適用することができる。さらに、壁体の表面側からねじ部材を回動させることが可能となるので、取り付け作業を容易にすることができる。
【０００８】
前記ベースプレートの前記第二連結部の上側には、ヒンジブラケットが配設され、
前記ヒンジブラケットに、カバーが回動可能に取り付けられ、
前記バックプレートの上部に位置する前記第一挟持部と、前記バックプレートの上部に位置する前記第一連結部と、にまたがるように逃がし孔が配設され、前記逃がし孔は、前記ヒンジブラケットを配置可能とされ、
前記ヒンジブラケットの上端部が、前記壁体の前記開口部の開口縁部と、前記逃がし孔とに当接可能とされている。
【０００９】
これによれば、ヒンジブラケットをストッパとしても機能させることが可能となるので、レイアウトの自由度を高めることができる。
【００１０】
また、前記第二連結部の下端部は、前記壁体の前記開口部の前記開口縁部と、前記バックプレートの下部に位置する前記第一連結部と当接可能とされ、
前記ベースプレートの上端部から前記ヒンジブラケットの上端部までの距離が、前記ベースプレートの下端部から前記第二連結部の下端部までの距離より、短く設定されている。
【００１１】
これによれば、壁体の開口部に配設するときに、上下逆向きに取り付けると、バックプレートが通過できない構成とし、取り付けミスを防止することが可能となる。
【００１２】
また、前記カバーが、前記ベースプレートの前記ヒンジブラケットの前側に固定される固定部と、覆い位置と開放位置に移動可能な可動部と、を有し、
前記可動部が、前記可動部の回動軸線より、下側かつ前側で、ヒンジを介して取り付けられている。
【００１３】
これによれば、固定部で、ヒンジブラケット等の内部の回動機構を目隠ししたうえで、可動部を可動可能な構成とすることができる。
【００１４】
請求項５記載の考案では、フラッシュ構造を備える扉であって、前記扉の壁体に開口部が形成され、
請求項１、２、３又は４に記載の把手部材が、前記開口部に配設される。
【００１５】
これによれば、上記の把手部材の効果を奏する扉とすることができる。
【図面の簡単な説明】
【００１６】
【図１】本考案の一実施形態の把手部材の正面図である。
【図２】同実施形態の把手部材の右側面図である。
【図３】同実施形態の把手部材の平面図である。
【図４】同実施形態の把手部材の可動部を開けた状態の前側右斜め上からみた斜視図である。
【図５】バックプレートの前側右斜め上からみた斜視図である。
【図６】バックプレートの後側右斜め上からみた斜視図である。
【図７】ベースプレートの前側右斜め上からみた斜視図である。
【図８】ベースプレートの後側右斜め上からみた斜視図である。
【図９】ベースプレートの右側面図である。
【図１０】可動部の前側右斜め上からみた斜視図である。
【図１１】可動部の後側右斜め上からみた斜視図である。
【図１２】可動部の背面図である。
【図１３】可動部の右側面図である。
【図１４】ヒンジと軸部材の斜視図である。
【図１５】把手部材の使用状態を示す参考図である。
【考案を実施するための形態】
【００１７】
本考案の把手部材の一実施形態について図面に基づいて説明する。以下の説明において、各図面に矢印が記載される場合には、Ｆを前、Ｂを後ろ、Ｒを右、Ｌを左、Ｕを上、Ｄを下、とする。
【００１８】
扉１０は、本実施形態では、スチール製で、曲げ加工等されて形成された片面フラッシュ扉が用いられ、図１５に示すように、平板状の壁体１１を有している。壁体１１には、前後方向において貫通する矩形状の開口部１２が形成されている。
【００１９】
把手部材２０は、図１〜４、１５に示すように、壁体１１の裏面１１ｂ側に配されるバックプレート３０と、一部が壁体１１の表面１１ａ側に配されるともにバックプレート３０と連結されるベースプレート５０と、バックプレート３０とベースプレート５０とを連結するねじ部材９０と、を備えている。
【００２０】
バックプレート３０は、ステンレス製で、一枚の平板を曲げ加工等されて形成され、図５、６等に示すように、背板部３１と、第一挟持部３８と、第一連結部３９と、を備えている。
【００２１】
背板部３１は、矩形平板状に形成され、正面視における中央付近に、前後方向に貫通する貫通孔３１ａが形成されている。本実施形態では、貫通孔３１ａは、カムロック１００を取り付けるときに使用されるものである。
【００２２】
背板部３１には、バーリング加工されて、前後方向において貫通するとともに、後方に突出する筒状に形成され、その内面側がタップ加工されてねじ部材９０と螺合可能とされた螺合部３１ｂが、貫通孔３１ａを取り囲むように四か所配設されている。
【００２３】
背板部３１の外周縁部から、略矩形平板状の、上板部３２、下板部３３、左板部３４、右板部３５が前側に向かって延設されている。上板部３２の前端部から、略矩形平板状の上フランジ部３６が上側に向かって、下板部３３の前端部から略矩形平板状の下フランジ部３７が下側に向かって、それぞれ延設されている。
【００２４】
バックプレート３０には、上板部３２と、上フランジ部３６との境界部分を含む貫通孔として形成された逃がし孔３０ａが形成されている。逃がし孔３０ａは、後述する左ヒンジブラケット５４、右ヒンジブラット５５を配置可能とするものである。また、上板部３２に位置する逃がし孔３０ａの上端部は、左ヒンジブラケット５４、右ヒンジブラット５５の上端部と当接可能とされている。
【００２５】
本実施形態では、左板部３４の前面３４ａ、右板部３５の前面３５ａ、上フランジ部３６の前面３６ａ、下フランジ部３７の前面３７ａ、が壁体１１を挟持可能な第一挟持部３８とされる。
【００２６】
また、上板部３２、下板部３３、左板部３４、右板部３５が、背板部３１の一方の面（前面）の外周縁部から延設される第一連結部３９とされる。換言すれば、第一連結部３９は、背板部３１と第一挟持部３８とを連結しているともいえる。
【００２７】
よって、バックプレート３０は、背板部３１と、背板部３１の一方の面の外周縁部から延設される第一連結部３９と、第一連結部３９の背板部３１とは反対側の端部側に配設されて壁体１１を挟持可能な第一挟持部３８と、を備えているといえる。
【００２８】
ベースプレート５０は、ステンレス製で、一枚の平板を曲げ加工等されて形成され、図７〜９等に示すように、枠体部５１と、左側壁部５２と、右側壁部５３と、座金部５６と、を備えている。
【００２９】
枠体部５１は、矩形平板の中央部分が開口する開口部５１ａを有した枠状に形成されている。
【００３０】
開口部５１ａの、左の端部から略矩形平板状の左側壁部５２が、右の端部から略矩形平板状の右側壁部５３が、それぞれ後方に向かって延設されている。
【００３１】
開口部５１ａの左側壁部５２の上側には略三角形平板状の左ヒンジブラケット５４が、右側壁部５３の上側には、略三角形平板状の右ヒンジブラット５５が、それぞれ後方に向かって延設されている。左ヒンジブラケット５４、右ヒンジブラット５５には、左右方向に貫通する軸孔５４ａ、５５ａがそれぞれ配設されている。
【００３２】
座金部５６は、台形平板状に形成され、左側壁部５２の上下の端部から右方に向かって、右側壁部５３の上下の端部から左方に向かって、それぞれ延設されている。
【００３３】
座金部５６には、前後方向において貫通するとともに、前側の径が大きいザグリ孔５６ａがそれぞれ形成されている。
【００３４】
本実施形態では、正面視において、バックプレート３０の第一挟持部３８を構成する、左板部３４の前面３４ａ、右板部３５の前面３５ａ、上フランジ部３６の前面３６ａ、下フランジ部３７の前面３７ａ、と壁体１１を介して対向する枠体部５１の部分が、壁体１１の表面１１ａ側で壁体１１を挟持可能な第二挟持部５７とされる。
【００３５】
また、左側壁部５２、右側壁部５３が、座金部５６と第二挟持部５７とを連結する第二連結部５８とされる。
【００３６】
第二連結部５８（左側壁部５２、右側壁部５３）の下端部は、壁体１１の開口部１２の開口縁部１３と、第一連結部３９を構成する下板部３３の上面と当接可能とされている。
【００３７】
ベースプレート５０の上端部から左ヒンジブラケット５４、右ヒンジブラット５５の上端部までの距離Ｌ１が、ベースプレート５０の下端部から第二連結部５８の下端部までの距離Ｌ２より、短く設定されている。
【００３８】
以上のことより、ベースプレート５０は、背板部３１の第一挟持部３８側（前面側）に配される座金部５６と、壁体１１の表面１１ａ側で壁体１１を挟持可能な第二挟持部５７と、座金部５６と第二挟持部５７とを連結する第二連結部５８と、を備えているといえる。
【００３９】
ベースプレート５０には、開口部５１ａを覆い可能なカバー７０が取り付けられている。
【００４０】
カバー７０は、ステンレス製で、図１〜４、１０〜１４等に示すように、固定部７１と、可動部７２と、を有している。
【００４１】
固定部７１は、矩形平板状に形成され、ベースプレート５０の枠体部５１の上部前面に取り付けられている。詳説すれば、後方に延設される左ヒンジブラケット５４、右ヒンジブラット５５を視認困難な状態となるように設定され、取り付けられている。
【００４２】
可動部７２は、フロントカバー７３と、フロントレバー７４と、ヒンジ７５と、を有している。
【００４３】
フロントカバー７３は、矩形平板状に形成され、組み付けられた状態において、上下方向の長さが、ベースプレート５０の枠体部５１の下端より突出するように設定されている。フロントカバー７３の下端部の後面側が、前面に対して傾斜する傾斜面部７３ａとして形成されている。
【００４４】
フロントレバー７４は、断面Ｊ字状に形成され、上部において、フロントカバー７３の中央下寄りの位置に溶接等されて取り付けられている。フロントレバー７４は、自由端に向かうに従って、フロントカバー７３から遠ざかるように、曲げられて延設されている。
【００４５】
ヒンジ７５は、上端部に配され円筒状に形成された円筒部７５ａと、回動時に固定部７１と干渉しないように曲げられて形成された逃がし部７５ｂと、フロントカバー７３に取り付けられる取付部７５ｃと、を有している。
【００４６】
左ヒンジブラケット５４、右ヒンジブラット５５の間に円筒部７５ａを配置して、軸孔５４ａ、５５ａと円筒部７５ａを連通させ、軸部材８０を挿通させたうえで、図２、３、１４に参照するように、軸部材８０の両端部をカシメることで、可動部７２が、左ヒンジブラケット５４、右ヒンジブラット５５に対して回動可能に取り付けられる。
【００４７】
これにより、可動部７２は、ベースプレート５０の開口部５１ａを覆い可能な覆い位置と、開口部５１ａを開放可能な開放位置に移動可能とされている。
【００４８】
また、可動部７２が、可動部７２の回動軸線Ｃより、下側かつ前側で、ヒンジ７５を介して取り付けられていることになる。
【００４９】
左ヒンジブラケット５４、右ヒンジブラット５５の上端部が、壁体１１の開口部１２の開口縁部１３と、バックプレート３０の第一挟持部３８の近傍と、に当接可能とされている。
【００５０】
ねじ部材９０は、図１〜４等に示すように、既存の皿ねじが用いられている。
【００５１】
把手部材２０の使用態様について説明する。把手部材２０には、図１５に示すように、バックプレート３０の背板部３１の貫通孔３１ａを用いて、カムロック１００が取り付けられている。
【００５２】
バックプレート３０の、上板部３２、下板部３３、左板部３４、右板部３５の内側に、カバー７０が取り付けられた状態のベースプレート５０の、左側壁部５２、右側壁部５３、座金部５６を配する。
【００５３】
そして、螺合部３１ｂとザグリ孔５６ａとを連通させ、ねじ部材９０を、座金部５６側から挿通させて螺合部３１ｂと螺合させる。このとき、バックプレート３０とベースプレート５０との間に、壁体１１の厚み以上の隙間が生じるように、仮締め状態としておく。
【００５４】
仮締め状態の把手部材２０を、壁体１１の表面１１ａ側から、開口部１２に、バックプレート３０の下フランジ部３７から進入させる。
【００５５】
把手部材２０は、ベースプレート５０の下端部から第二連結部５８の下端部までの距離Ｌ２が、ベースプレート５０の上端部から左ヒンジブラケット５４、右ヒンジブラット５５の上端部までの距離Ｌ１より、長く設定されているので、ベースプレート５０は、開口部１２に対して若干下寄りに配置可能となり、それにともない、バックプレート３０も開口部１２に対して下寄りに配置可能となるので、上フランジ部３６が開口部１２を通過可能となる。
【００５６】
仮に、上フランジ部３６から開口部１２に進入させて取り付けようとすると、下フランジ部３７が通過できない構成としているので、取り付けミスを防止することができる。
【００５７】
バックプレート３０を、壁体１１の裏面１１ｂ側に配置したら、壁体１１に対する把手部材２０の位置決めをする。
【００５８】
このとき、左ヒンジブラケット５４、右ヒンジブラット５５の上端部が、壁体１１の開口部１２の開口縁部１３と、バックプレート３０の上部に位置する第一挟持部３８に配される逃がし孔３０ａと、に当接可能とされ、ストッパとして機能する。また、第二連結部５８の下端部も、壁体１１の開口部１２の開口縁部１３と、第一連結部３９と当接可能とされ、ストッパとして機能する。
【００５９】
把手部材２０の位置決めをしたら、ねじ部材９０で、螺合部３１ｂと座金部５６とを締結して、壁体１１に把手部材２０を固定する。それにともない、第一挟持部３８及び第二挟持部５７により、壁体１１が開口部１２の開口縁部１３で挟持される。
【００６０】
扉１０を開くときには、フロントカバー７３の下端部を指で引っ掛け、上側に持ち上げ、さらに、フロントレバー７４に指を掛けて、フロントカバー７３を上まで回動させてカムロック１００を露出させる。
【００６１】
このとき、フロントカバー７３の傾斜面部７３ａにより、壁体１１との間に指を差し入れる空間が形成されているので、指が引っ掛けやすくなるとともに、固定部７１により、左ヒンジブラケット５４、右ヒンジブラット５５、軸部材等の内部の回動機構が目隠しされる。さらに、ヒンジ７５の逃がし部７５ｂにより、フロントカバー７３が固定部７１と干渉しないように回動する。
【００６２】
そして、カムロック１００鍵穴１０１に、キー１０５を挿入して操作することで、ロックを解除して扉１０を開ける。
【００６３】
上記構成の考案を把手部材としてみれば、フラッシュ構造を備える扉１０の壁体１１に形成された開口部１２に配設される把手部材であって、
壁体１１の裏面１１ｂ側に配されるバックプレート３０と、
一部が壁体１１の表面１１ａ側に配されるともにバックプレート３０と連結されるベースプレート５０と、
バックプレート３０とベースプレート５０とを連結するねじ部材９０と、を備え、
壁体１１に取り付けられた状態において、
バックプレート３０は、背板部３１と、背板部３１の一方の面の外周縁部から延設される第一連結部３９と、第一連結部３９の背板部３１とは反対側の端部側に配設されて壁体１１を挟持可能な第一挟持部３８と、を備え、
ベースプレート５０は、背板部３１の第一挟持部３８側に配される座金部５６と、壁体１１の表面１１ａ側で壁体１１を挟持可能な第二挟持部５７と、座金部５６と第二挟持部５７とを連結する第二連結部５８と、を備え、
ねじ部材９０は、座金部５６を挿通可能とされるとともに、背板部３１に配設された螺合部３１ｂと螺合可能とされ、
第一挟持部３８と第二挟持部５７とで壁体１１が挟持されるとともに、ねじ部材９０を座金部５６側から進入させて螺合部３１ｂと螺合させることで、壁体１１に取り付けられる。
【００６４】
これによれば、第一挟持部３８と第二挟持部５７とで壁体１１を挟持するとともに、ねじ部材９０を座金部５６側から進入させて螺合部３１ｂと螺合させる構成としているので、フラッシュ構造を備える扉体であっても適用することができる。さらに、壁体１１の表面１１ａ側からねじ部材９０を回動させることが可能となるので、取り付け作業を容易にすることができる。
【００６５】
また、ベースプレート５０の第二連結部５８の上側には、左ヒンジブラケット５４、右ヒンジブラット５５が配設され、
左ヒンジブラケット５４、右ヒンジブラット５５に、カバー７０が回動可能に取り付けられ、
バックプレート３０の上部に位置する第一挟持部３８と、バックプレート３０の上部に位置する第一連結部３９と、にまたがるように逃がし孔３０ａが配設され、逃がし孔３０ａは、左ヒンジブラケット５４、右ヒンジブラット５５を配置可能とされ、
左ヒンジブラケット５４、右ヒンジブラット５５の上端部が、壁体１１の開口部１２の開口縁部１３と、逃がし孔３０ａとに当接可能とされている。
【００６６】
これによれば、左ヒンジブラケット５４、右ヒンジブラット５５をストッパとしても機能させることが可能となるので、レイアウトの自由度を高めることができる。
【００６７】
また、第二連結部５８の下端部は、壁体１１の開口部１２の開口縁部１３と、バックプレート３０の下部に位置する第一連結部３９と当接可能とされ、
ベースプレート５０の上端部から左ヒンジブラケット５４、右ヒンジブラット５５の上端部までの距離Ｌ１が、ベースプレート５０の下端部から第二連結部５８の下端部までの距離Ｌ２より、短く設定されている。
【００６８】
これによれば、壁体１１の開口部１２に配設するときに、上下逆向きに取り付けると、バックプレート３０が通過できない構成とし、取り付けミスを防止することが可能となる。
【００６９】
また、カバー７０が、ベースプレート５０の左ヒンジブラケット５４、右ヒンジブラット５５の前側に固定される固定部７１と、覆い位置と開放位置に移動可能な可動部７２と、を有し、
可動部７２が、可動部７２の回動軸線Ｃより、下側かつ前側で、ヒンジ７５を介して取り付けられている。
【００７０】
これによれば、固定部７１で、左ヒンジブラケット５４、右ヒンジブラット５５等の内部の回動機構を目隠ししたうえで、可動部７２を可動可能な構成とすることができる。
【００７１】
上記構成の考案を扉としてみれば、フラッシュ構造を備える扉であって、扉１０の壁体１１に開口部１２が形成され、
把手部材２０が、開口部１２に配設される。
【００７２】
これによれば、上記の把手部材２０の効果を奏する扉１０とすることができる。
【００７３】
本考案の接合補助具は上記構成に限定されるものではない。即ち、本考案の要旨を逸脱しない限り各種の設計変更等が可能である。
【００７４】
例えば、把手部材２０が取り付けられる扉は、片面フラッシュ扉で説明したが、フラッシュ構造を有するのであれば、両面フラッシュ扉等に適用することができる。
【００７５】
また、建築物の扉だけでなく、陳列用ケース等の家具の扉、制御ボックス等の設備の扉等に適用することも可能である。
【００７６】
また、上記実施形態では、左板部３４の前面３４ａ、右板部３５の前面３５ａ、上フランジ部３６の前面３６ａ、下フランジ部３７の前面３７ａ、が壁体１１を挟持可能な第一挟持部３８とされていたが、前面３４ａ及び前面３５ａ、前面３６ａ及び前面３７ａ、というように左右の端部又は上下の端部のみで挟持する構成に変更することも可能である。この場合、当該第一挟持部３８と、壁体１１を介して対向する枠体部５１の部分が、壁体１１の表面１１ａ側で壁体１１を挟持可能な第二挟持部５７となる。
【符号の説明】
【００７７】
１０  扉
１１  壁体
１１ａ  表面
１１ｂ  裏面
１２  開口部
１３  開口縁部
２０  把手部材
３０  バックプレート
３０ａ  逃がし孔
３１  背板部
３１ｂ  螺合部
３８  第一挟持部
３９  第一連結部
５０  ベースプレート
５４  左ヒンジブラケット
５５  右ヒンジブラット
５６  座金部
５７  第二挟持部
５８  第二連結部
７０  カバー
７１  固定部
７２  可動部
７５  ヒンジ
９０  ねじ部材
Ｃ  回動軸線
Ｌ１  距離
Ｌ２  距離
【図１】
0003228383.tif 000003
【図２】
0003228383.tif 000004
【図３】
0003228383.tif 000005
【図４】
0003228383.tif 000006
【図５】
0003228383.tif 000007
【図６】
0003228383.tif 000008
【図７】
0003228383.tif 000009
【図８】
0003228383.tif 000010
【図９】
0003228383.tif 000011
【図１０】
0003228383.tif 000012
【図１１】
0003228383.tif 000013
【図１２】
0003228383.tif 000014
【図１３】
0003228383.tif 000015
【図１４】
0003228383.tif 000016
【図１５】
0003228383.tif 000017